(57)【要約】【解決手段】導体ポストに係合するように構成された端子リングアッセンブリであって、該端子リングアッセンブリは、第１リング要素と第２リング要素とを含んでおり、前記第１リング要素は、中央に開口を有する略円形の本体と、クリンプ可能なバレルを有する少なくとも１つのグリップと、インターロック装置の第１部材とを具えており、前記第２リング要素は、中央に開口を有する略円形の本体と、クリンプ可能なバレルを有する少なくとも１つのグリップと、インターロック装置の第２部材とを具えている。インターロック装置の第１部材と第２部材は、互いに係合するように構成されており、第１リング要素と第２リング要素はロックされることができる。【選択図】図２Ｂ
2008516394.tif 000002
【特許請求の範囲】
【請求項１】
導体ポストに係合するように構成された端子リングアッセンブリであって、
第１の中央開口を有する略円形の第１本体と、各々が少なくとも１本のワイヤと係合できるように構成されたクリンプ可能バレルを有する少なくとも２つのグリップと、インターロック装置の第１部材とを有する第１リング要素と、
中央開口を有する略円形の第２本体と、少なくとも１本のワイヤと係合できるように構成されたクリンプ可能バレルを有する少なくとも１のグリップと、インターロック装置の第２部材とを有する第２リング要素と、を具えており、
インターロック装置の第１部材と第２部材は互いに係合するように構成され、第１リング要素と第２リング要素が共にロックされるようにしている端子リングアッセンブリ。
【請求項２】
クリンプ可能なバレルの各々は、最大２本のワイヤと係合できるように構成されている請求項１の端子リングアッセンブリ。
【請求項３】
第１リング要素と第２リング要素は、耐食性材料でメッキされている請求項１の端子リングアッセンブリ。
【請求項４】
第２リング要素は２つのグリップを含んでおり、各グリップはクリンプ可能なバレルを有している請求項１の端子リングアッセンブリ。
【請求項５】
第１リング要素は、第１グリップと第２グリップを含み、第１グリップ及び第２グリップの各々はクリンプ可能なバレルを有しており、
第２リング要素は、第３グリップと第４グリップを含み、第３グリップ及び第４グリップの各々はクリンプ可能なバレルを有している請求項１の端子リングアッセンブリ。
【請求項６】
クリンプ可能なバレルの各々は、２本のワイヤと係合できるように構成されている請求項５の端子リングアッセンブリ。
【請求項７】
第１リング要素と第２リング要素は、耐食性材料でメッキされている請求項５の端子リングアッセンブリ。
【請求項８】
第２リング要素は、クリンプ可能なバレルを有する１つのグリップを含んでいる請求項１の端子リングアッセンブリ。
【請求項９】
第１リング要素は、第１グリップと第２グリップを含み、第１グリップ及び第２グリップの各々はクリンプ可能なバレルを有しており、
第２リング要素は、クリンプ可能なバレルを有する第３グリップを含んでいる請求項１の端子リングアッセンブリ。
【請求項１０】
クリンプ可能なバレルの各々は、２本のワイヤと係合できるように構成されている請求項９の端子リングアッセンブリ。
【請求項１１】
第１リング要素と第２リング要素は、耐食性材料でメッキされている請求項９の端子リングアッセンブリ。
【請求項１２】
第１インターロック装置は、突起を有する少なくとも１つの可撓性弧状タブを含み、
第２インターロック装置は、開口を有する少なくとも１つの可撓性弧状タブを含み、
前記突起は、前記開口と係合するように構成されている請求項１の端子リングアッセンブリ。
【請求項１３】
各突起はウェッジである請求項１２の端子リングアッセンブリ。
【請求項１４】
第１リング要素の本体は、中央開口の周囲にカラーを含み、該カラーは外径を有しており、
第２リング要素の中央開口の直径は、前記カラーの直径とほぼ同じであり、
第１要素と第２要素は、第２リング要素の本体が第１リング要素のカラーに当接した状態で、互いに係合するように構成されている請求項１２の端子リングアッセンブリ。
【請求項１５】
第１リング要素の少なくとも１つのタブは、円形本体と略同じ中心を有する弧状であり、
第２リング要素の少なくとも１つのタブは、円形本体と略同じ中心を有する弧状である請求項１４の端子リングアッセンブリ。
【請求項１６】
第１リング要素のインターロック装置は、開口を有する第１可撓性タブと、突起を有する第２可撓性タブとを含み、
第２リング要素は、突起を有する第３可撓性タブと、開口を有する第４可撓性タブとを含み、
第１可撓性タブの開口は、第３可撓性タブの突起と係合するように構成され、第４可撓性タブの開口は、第２可撓性タブの突起と係合するように構成されている請求項１の端子リングアッセンブリ。
【請求項１７】
各突起はウェッジである請求項１６の端子リングアッセンブリ。
【請求項１８】
第１リング要素の本体は、中央開口の周囲にカラーを含み、該カラーは直径を有しており、
第２リング要素の中央開口の直径は、前記カラーの直径とほぼ同じであり、
第１要素と第２要素は、第２リング要素の本体が第１リング要素のカラーに当接した状態で、互いに係合するように構成されている請求項１６の端子リングアッセンブリ。
【請求項１９】
第１リング要素の少なくとも１つのタブは、前記円形本体と略同じ中心を有する弧状であり、
第２リング要素の少なくとも１つのタブは、前記円形本体と略同じ中心を有する弧状である請求項１６の端子リングアッセンブリ。
【請求項２０】
クリンプ可能なバレルの各々は、２本のワイヤと係合するように構成されている請求項１９の端子リングアッセンブリ。
【請求項２１】
第２リング要素は２つのグリップを含み、各グリップはクリンプ可能なバレルを有している請求項１９の端子リングアッセンブリ。
【請求項２２】
第１リング要素は、第１グリップと第２グリップを含み、第１グリップ及び第２グリップは各々がクリンプ可能なバレルを有しており、
第２リング要素は、第３グリップと第４グリップを含み、第３グリップ及び第４グリップは各々がクリンプ可能なバレルを有している請求項１９の端子リングアッセンブリ。
【請求項２３】
第２リング要素は、クリンプ可能な２つのバレルを有するグリップを含んでいる請求項１９の端子リングアッセンブリ。
【請求項２４】
第１リング要素は、第１グリップと第２グリップを含み、第１グリップ及び第２グリップの各々はクリンプ可能なバレルを有しており、
第２リング要素は、クリンプ可能なバレルを有するグリップを含んでいる請求項１９の端子リングアッセンブリ。
【請求項２５】
インターロック装置の第１部材は、円形の第１本体と略同じ中心を有する少なくとも１つの第１弧状タブを具え、前記少なくとも１つの第１弧状タブと第１の中央開口との間に第１スロットを有しており、
インターロック装置の第２部材は、円形の第２本体と略同じ中心を有する少なくとも１つの第２弧状タブを具え、前記少なくとも１つの第２弧状タブと第２の中央開口との間に第２スロットを有している請求項１の端子リングアッセンブリ。
【発明の詳細な説明】
【技術分野】
【０００１】
＜発明の分野＞
本発明は、電気端子に関し、より具体的には、２つのリング要素から形成され、複数のワイヤ連結部を有するリング端子アッセンブリ(ring terminal assembly)に関する。
【背景技術】
【０００２】
＜関連技術の説明＞
リング端子は、一般的に、ワイヤ(電気配線用の線)を導体に連結するために用いられている。リング端子は、導電性材料から作られており、ラジアルアーム、つまり「グリップ」を有する平らなリング状の本体を含んでいる。グリップは、絶縁電線の露出端部の周りに巻き付けられ、クリンプされる。次に、リング状の本体は、導体ポスト(例えばスタッド又はボルト)の周りに配置される。すなわち、スタッド又はボルトはリング状の本体の中を通され、リング端子は締結具で固定される。スタッド又はボルトは、電気システム又は回路と電気的に繋がっている。このように、リング端子が取り付けられた後、ワイヤもまた電気システム又は回路に連結される。そのようなリング端子は、典型的には、例えば錫の如き材料でメッキされる。メッキは耐食機能を有する。
【０００３】
一般的に、グリップは、１又は２本のワイヤの周りにクリンプされるように構成された「バレル(barrel)」を含んでいる。すなわち、グリップは、略平らな平坦部材を含み、該平坦部材は、その両端から突出する略垂直な２つのコネクタータブを有している。タブは、最初は略平坦であり、タブ全体が平坦部材にほぼ直交してＵ字形又はＶ字形を形成する。以下では、Ｕ字形又はＶ字形のタブを「オープンバレル」と称する。絶縁ワイヤの露出端は、オープンバレルの中に配置され、タブは曲げられるか又はクリンプされて、露出したワイヤの端部と係合する。以下、これを「クローズドバレル」と称する。グリップは、一般的には、一対の外側の支持用タブであり、これは、コネクタータブとほぼ同様である。支持用タブは、絶縁体を有するワイヤの一部にクリンプされるように構成される。
【０００４】
リング端子は、シンプル且つ安価であるが、いくつかの不利益がある。例えば、シングルグリップは、許容範囲の引張力を維持しつつ、１又は２本のワイヤとクリンプされることができる。３又は４本以上のワイヤがシングルグリップにクリンプされる場合、ワイヤは、グリップから簡単に抜け出す可能性があり、ワイヤとリング端子との接続の信頼性が損なわれる。また、３本よりも多くのワイヤを１箇所で結合させる必要がある場合、複数のリング端子を使用しなければならない。前記したように、端子は、腐食防止のために、通常は錫でメッキされている。メッキされた３以上の端子が重ねられると、端子のメッキは、軟化(cold-softening)を受け易い。軟化しても、ボルト−ナットの接合部は、依然として当初の性能が維持され、メッキされた２つの端子は密着している。しかしながら、メッキされた端子が３つよりも多く重ねられると、軟化の累積により、ボルト−ナットの接合部に緩みが生じ、熱イベントを受けたり電気故障を招く。換言すれば、メッキされた各端子は２本のワイヤにクリンプされることができるから、１つのスタッドに対するワイヤの数は最大４本に制限される。
【０００５】
１つのスタッド位置での接続に必要なワイヤの数が４本より多いと、軟化の累積を回避するために、メッキされていない３つ以上の端子を、スタッド上に積み重ねることができる。しかしながら、端子は、腐食に対する保護がされていないため、この方法では、非腐食性領域での使用に限定される。また、この方法は、追加の端子を使用する必要があるため、費用が嵩むという不利益をさらに有している。
【０００６】
それゆえ、異なる数のワイヤを受け入れられるように構成されたリング端子アッセンブリが要請されている。
さらにまた、インターロック可能であり、メッキされ、複数のワイヤを受け入れられるように構成された２パート型端子リングが要請されている。
複数のワイヤを受け入れることができるように構成され、既存のクリンプ装置と共に機能し得る端子リングがさらに要請されている。
【発明の開示】
【０００７】
＜発明の要旨＞
これらの及びその他の要請に応えるために、本発明は、インターロック式の２つのリング要素を有するリング端子アッセンブリを提供するものである。各リング要素は、複数ワイヤ用バレルを支持する少なくとも１つのグリップを有している。複数ワイヤ用バレルは、典型的には、１又は２本のワイヤを受け入れることができる。各リング要素は、１又は２つのグリップを有している。リング要素は、リング要素どうしが確実に接触できるように、互いにインターロックされるように構成されている。好ましくは、インターロック装置は、一方のリング要素に設けられた突起を有するタブと、他方のリング要素に設けられた開口を有するタブである。２つのタブは、互いに係合するように構成され、突起は開口の中に配置される。リング要素の一方又は両方を使用することにより、リング端子アッセンブリは、空きのグリップを作ることなく、１〜８本のワイヤをスタッドに連結することができる。
【０００８】
望ましくは、各リング要素は、略平らなリング状本体を含んでおり、タブは、僅かにオフセットした位置にあるが、リング状本体と略平行である。リング状本体は、互いに接触するように配置され、回転可能であり、タブは、一方のタブの突起が他方のタブの開口に係合するまで、互いに接近する方向に移動することができる。一方のリング要素に、リング状本体の位置調整のためのカラーを中央開口の周りに設けることもできる。
【０００９】
次に、望ましい実施例について添付図面を参照して説明する。以下の詳細な説明により、本発明の完全な理解は得られるであろう。
【００１０】
＜発明の詳細な説明＞
この明細書で使用する方向を示す語(例えば、「上側の(upper)」、「下側の(lower)」等)は、端子リングアッセンブリの図面での向きを意味するが、特許請求の範囲に限定を加えるものではない。
【００１１】
図１Ａ及び図１Ｂに示されるように、端子リングアッセンブリ(10)は、下側に第１リング要素(12)(図１Ａ)と、上側に第２リング要素(14)(図１Ｂ)を含んでいる。第１リング要素(12)と第２リング要素(14)は両方とも、導電性金属の平らなシートからスタンピングされ、次の如く成形加工される。端子リングアッセンブリの第１リング要素(12)と第２リング要素(14)は、耐食性材料(例えば、錫)でメッキが施される。
第１リング要素(12)は、概ね円形のリング状本体(16)(すなわちトーラス)と、少なくとも１つの径方向アームとを含んでいる。径方向アームは、以下では、「グリップ」(18)と称するものとし、より詳しく説明する。好ましくは、以下で説明するように、第１リング要素(12)は、２つのグリップ(18A)(18B)を含んでいる。第１リング要素本体(16)は、中央に開口(22)が設けられ、外径を有するカラー(24)が形成され、インターロック装置(80)の第１部材(26)が形成されている。第１リング要素本体(16)はほぼ平らな形状である。
第２リング要素(12)は、ほぼ円形のリング状本体(17)(すなわちトーラス)と、少なくとも１つの径方向アームとを含んでいる。径方向アームは、以下では、「グリップ」(18)と称するものとし、より詳しく説明する。好ましくは、以下で説明するように、第２リング要素(14)は、１つのグリップ(18C)(図１Ｂ)又は２つのグリップ(18D)(18E)(図２Ａ)を含んでいる。第２リング要素本体(17)は、中央に開口(23)が設けられ、以下に記載するように、インターロック装置(80)の第２部材(27)が形成されている。第２リング要素の開口(23)の直径は、カラー(24)の外径とほぼ同じである。このように、第２リング要素の開口(23)は、カラー(24)と係合又は当接するように構成されている。第２リング要素本体(17)も概ね平らな形状である。
【００１２】
インターロック装置(80)は、上記の如く、リング要素(12)(14)に、夫々、第１部材(26)と第２部材(27)がある。好ましい実施例において、第１部材(26)と第２部材(27)は、夫々、第１リング要素本体(16)と第２リング要素本体(17)からスタンピング加工された可撓性の弧状タブ(arcuate tabs)(82)と(84)であって、一方に開口(86)、他方に突起(87)(例えば、ウエッジ(88))を有している。弧状タブ(82)と(84)は、オフセットした位置にあるが、第１リング要素本体(16)と第２リング要素本体(17)の平面とほぼ平行である。弧状タブ(82)と(84)の各々に隣接してギャップ(89)がある。
図１に示されるように、第１リング要素(12)の第１弧状タブ(82)は上方にオフセット(偏位)し、第２リング要素(14)の第２弧状タブ(84)は下方にオフセットしている。オフセット量は、第１及び第２リング要素本体(16)(17)の厚さに略相当する距離である。それゆえ、第１リング要素(12)と第２リング要素(14)が連結されると、第１リング要素(12)の第１弧状タブ(82)は、概ね、第２リング要素本体(17)の平面内にあり、第２リング要素(14)の第２弧状タブ(84)は、概ね、第１リング要素本体(16)の平面内にある。この構成では、第１リング要素(12)と第２リング要素(14)が係合(すなわち連結)され、回転されると、第１弧状タブ(82)は、第２弧状タブ(84)の上を移動する。それゆえに、第１弧状タブ(82)に開口(86)があり、第２弧状タブ(84)にウェッジ(wedge)(88)がある場合、ウェッジ(88)が開口(86)に係合して、リング要素(12)と(14)がインターロックされる。
望ましい実施例において、リング要素(12)(14)は各々が、２つの弧状タブを含んでいる。すなわち、第１リング要素(12)は２つの弧状タブ(82)(83)を含み、第２リング要素(14)は２つの弧状タブ(84)(85)を含んでいる。リング要素(12)(14)の各々が２つの弧状タブを含む場合、一方のタブが開口(86)を有し、他方のタブがウェッジ(88)を有する。対向するリング要素(12)(14)の開口(86)とウェッジ(88)は、互いに係合可能な構成である。すなわち、インターロック装置(80)において、第１リング要素(12)は、開口(86)を有する第１可撓性タブ(82)と、突起(87)を有する第２可撓性タブ(83)とを含んでおり、第２リング要素(14)は、突起(87)を有する第３可撓性タブ(84)と、開口(86)を有する第４可撓性タブ(85)とを含んでいる。
【００１３】
インターロック装置(80)は、リング要素(12)(14)の互いの回転を制限するように構成されたストッパー装置(90)をさらに含んでいる。ストッパー装置(90)は、好ましくは、第１リング要素(12)から突出する一対の径方向ストッパー(92)(94)と、第２リング要素(14)の周縁から突出する垂直タブ(96)とを含んでいる。リング要素(12)(14)が連結されるとき、垂直タブ(96)の位置は、径方向ストッパー(92)と(94)の間にある。リング要素(12)(14)が互いに対して回転されると、垂直タブ(96)は、径方向ストッパー(92)又は(94)のどちらかと接触するので、リング要素(12)(14)の互いの回転は制限される。さらに、タブ(96)は、シートメタルのスロットへ嵌まり、ナット(図示せず)をスタッドに締め付ける間、回転防止手段として機能する。
【００１４】
各グリップ(18)は実質的に同じものである。それゆえ、以下では、図２Ａに詳細に示すグリップ(18)について説明する。グリップ(18)の各々は同様な要素を含むものと理解される。各グリップ(18)は、アーム(30)と、クリンプ可能な(crimpable)バレル(32)とを含んでいる。アーム(30)は、平坦部材(34)であり、連繋されたリング状本体(16)(17)から径方向に突出している。バレル(32)は、アームの平坦部材(34)から延びる平坦部材(36)と、バレルの平坦部材(36)から側方に突出する少なくとも一対の略垂直なタブ(40)とを含んでいる。タブは２組が好ましく、一対の内側タブ(42)(44)と一対の外側タブ(46)(48)を有している。タブ(42)(44)(46)(48)は、図示の如く上方に向けて屈曲しており、Ｕ字形又はＶ字形に形成される。この配置構成では、タブ(42)(44)(46)(48)は、当該分野で知られている「オープン(open)」バレル(32)を構成する。４つのタブ(42)(44)(46)(48)は、標準のクリンプ用工具と協働作用するように構成されており、一対の内側タブ(42)(44)と一対の外側タブ(46)(48)は、１又は２本のワイヤ(1)(図４Ａ〜図４Ｈ)に連結される。すなわち、バレルの平坦部材(36)は、２本のワイヤを収容するのに十分な幅を有する。図４Ａ〜図４Ｈに示されるように、タブ(42)(44)(46)(48)は、ワイヤ(1)の周りにクリンプされるように構成され、一対の内側タブ(42)(44)はワイヤ(1)の露出端部(2)に接触し、一対の外側タブ(46)(48)はワイヤ絶縁材(3)と接触する。この配置構成では、バレル(32)は「クローズド(closed)」である。
【００１５】
上述の如く、そして図１Ａに示される通り、第１リング要素(12)は、第１グリップ(18A)と第２グリップ(18B)の２つのグリップ(18)を含むことが望ましい。第１グリップ(18A)と第２グリップ(18B)は、第１リング要素本体(16)上で約９０度離れて配置される。第２リング要素(14A)(14B)は、図３Ａに示されるように、１つのグリップ(18)(第３グリップ(18C)(図１Ｂ))を含むものでもよいし、図２Ａに示されるように、２つのグリップ(18)(第３グリップ(18D)と第２グリップ(18E))を含むものでもよい。なお、以下の説明において、２つのグリップを有する第２リング要素は符号(14A)で示され、１つのグリップを有する第２リング要素は符号(14B)で示される。
【００１６】
それゆえ、図２Ａに示されるように、４つのグリップ(18A)(18B)(18D)(18E)を有する端子リングアッセンブリ(10)は次の通り組み立てられる。まず、２つのグリップ(18A)(18B)を有する第１リング要素(12)が配備され、２つのグリップ(18D)(18E)を有する第２リング要素(14A)も配備される。リング要素(12)(14A)は、第２リング要素の開口(23)を通るカラー(24)と互いに隣接して配置された第１及び第２リング要素本体(16)(17)と、ロックされていない位置で連結される。さらに、弧状タブ(82)(83)(84)(85)の各々は、対向するリング要素(12)(14A)のギャップ(89)に配置され、垂直タブ(96)は、２つのストッパ(92)と(94)の間に配置される。次に、図２Ｂに示されるように、第１要素と第２要素は、弧状タブ(82)(83)(84)(85)が互いに重なるまで相対回転されるから、各ウェッジ(88)は開口(86)に係合する。第１要素と第２要素の相対回転は、垂直タブ(96)がストッパ(92)と接触することによって停止する。
【００１７】
３つのグリップ(18A)(18B)(18C)を有する端子リングアッセンブリ(10)は、図３Ａに示されるように、次の通り組み立てられる。まず、２つのグリップ(18C)を有する第１リング要素(12)が設けられ、２つのグリップ(18C)を有する第２リング要素(14B)も設けられる。リング要素(12)(14B)は、第２リング要素の開口(23)を通るカラー(24)と互いに隣接して配置された第１及び第２リング要素本体(16)(17)と、ロックされていない位置で連結される。さらに、弧状タブ(82)(83)(84)(85)の各々は、対向するリング要素(12)(14B)のギャップ(89)に配置され、垂直タブ(96)は、２つのストッパ(92)と(94)の間に配置される。次に、図３Ｂに示されるように、第１リング要素(12)と第２リング要素(14B)は、弧状タブ(82)(83)(84)(85)が互いに重なるまで相対回転され、各ウェッジ(88)は開口(86)に係合する。第１リング要素(12)と第２リング要素(14B)の相対回転は、垂直タブ(96)がストッパ(92)と接触することによって停止する。
【００１８】
これらのリング要素(12)(14B)(14B)が与えられると、端子リングアッセンブリ(10)は、１〜８本のワイヤ(1)をスタッド(図示せず)に結合することが可能となる。すなわち、図４Ａ及び図４Ｂに示されるように、１つのグリップ(18C)を有する１つの第２リング要素(14B)は、１本のワイヤ(1)(図４Ａ)又は２本のワイヤ(1)(図４Ｂ)に連結される。２つのグリップ(18A)(18B)を有する１つの第１リング要素は３本のワイヤに連結されることができ、図４Ｃに示されるように、１本のワイヤが１つのグリップ(18A)に連結され、２本のワイヤ(1)が別のグリップ(18B)に連結されることができる。あるいは、２つのグリップ(18A)(18B)を有する１つの第１リング要素は４本のワイヤ(1)に連結されることができ、図４Ｄに示されるように、２本のワイヤ(1)は１つのグリップ(18A)に連結され、２本のワイヤ(1)は他のグリップ(18B)に連結される。図４Ｅに示されるように、２つのグリップ(18A)(18B)を有する１つの第１リング要素と、１つのグリップ(18C)を有する第２リング要素(14B)とを具える端子リングアッセンブリ(10)を、５本のワイヤ(1)をスタッドに連結するために用いられることができる。すなわち、第１リング要素(12)では、２本のワイヤ(1)が１つのグリップ(18A)に連結され、２本のワイヤ(1)が他のグリップ(18B)に連結され、第２リング要素(14B)では、１本のワイヤ(1)がグリップ(18C)に連結される。図４Ｆに示されるように、これと同じ構成の第１リング要素(12)と単一グリップの第２リング要素(14B)を、６本のワイヤ(1)をスタッドに連結するのに用いられることができる。すなわち、第１リング要素(12)において、２本のワイヤ(1)が１つのグリップ(18A)に連結され、２本のワイヤ(1)が他のグリップ(18B)に連結されると共に、第２リング要素(14B)では、２本のワイヤ(1)がグリップ(18C)に連結される。図４Ｇに示されるように、２つのグリップ(18A)(18B)を有する単一の第１リング要素(12)と、２つのグリップ(18D)(18E)を有する第２リング要素(14A)とを具える端子リングアッセンブリ(10)は、７本のワイヤ(1)をスタッドに連結するために用いられることができる。すなわち、第１リング要素(12)では、１本のワイヤ(1)が１つのグリップ(18A)に連結され、２本のワイヤ(1)が他のグリップ(18B)に連結され、第２リング要素(14A)では、２本のワイヤ(1)が各々のグリップ(18D)(18E)に連結される。これと同じ構成の第１リング要素(12)と単一グリップの第２リング要素(14A)は、８本のワイヤ(1)をスタッドに連結するのに用いられることができる。すなわち、第１リング要素(12)では、２本のワイヤ(1)が各々のグリップ(18A)(18B)に連結され、第２リング要素(14A)では、２本のワイヤ(1)が各々のグリップ(18D)(18E)に連結される。なお、特定のグリップ(18A〜18E)において１本及び２本ワイヤ(1)の位置は、必要に応じて変えられることは勿論である。
【００１９】
本発明の特定の実施例を詳細に説明してきたが、当該分野の専門家であれば、開示全体を参照することにより、それらの詳細について様々な変更及び代替をなし得るであろう。例えば、ストッパ装置(90)は、一方のリング要素の垂直タブ(96)であってもよく、これを他方のリング要素のスロットの中に配置されることもできる。それゆえ、開示した具体的配置は単なる例示であって、特許請求の範囲の全範囲及びそれらの等価物に及ぶ発明の範囲を限定することを意味するものではない。
【図面の簡単な説明】
【００２０】
【図１Ａ】２つのグリップを有する端子リングについて、ワイヤを係合する前の分解斜視図である。
【図１Ｂ】１つのグリップを有する端子リングについて、ワイヤを係合する前の分解斜視図である。
【図２Ａ】各リング要素が２つのグリップを有し、前記リング要素は互いにロックされていない状態の端子リングアッセンブリの斜視図である。
【図２Ｂ】各リング要素が２つのグリップを有し、前記リング要素は互いにロックされた状態の端子リングアッセンブリの斜視図である。
【図３Ａ】一方のリング要素が２つのグリップを有し、他方のリング要素が１つのグリップを有し、それらリング要素はロックされていない状態の端子リングアッセンブリの斜視図である。
【図３Ｂ】一方のリング要素が２つのグリップを有し、他方のリング要素が１つのグリップを有し、それらリング要素はロックされた状態の端子リングアッセンブリの斜視図である。
【図４Ａ】ワイヤが１本である端子リングアッセンブリの斜視図である。
【図４Ｂ】ワイヤが２本である端子リングアッセンブリの斜視図である。
【図４Ｃ】ワイヤが３本である端子リングアッセンブリの斜視図である。
【図４Ｄ】ワイヤが４本である端子リングアッセンブリの斜視図である。
【図４Ｅ】ワイヤが５本である端子リングアッセンブリの斜視図である。
【図４Ｆ】ワイヤが６本である端子リングアッセンブリの斜視図である。
【図４Ｇ】ワイヤが７本である端子リングアッセンブリの斜視図である。
【図４Ｈ】ワイヤが８本である端子リングアッセンブリの斜視図である。
【図１Ａ】
2008516394.tif 000003
【図１Ｂ】
2008516394.tif 000004
【図２Ａ】
2008516394.tif 000005
【図２Ｂ】
2008516394.tif 000006
【図３Ａ】
2008516394.tif 000007
【図３Ｂ】
2008516394.tif 000008
【図４Ａ】
2008516394.tif 000009
【図４Ｂ】
2008516394.tif 000010
【図４Ｃ】
2008516394.tif 000011
【図４Ｄ】
2008516394.tif 000012
【図４Ｅ】
2008516394.tif 000013
【図４Ｆ】
2008516394.tif 000014
【図４Ｇ】
2008516394.tif 000015
【図４Ｈ】
2008516394.tif 000016
【手続補正書】
【提出日】平成19年8月22日(2007.8.22)
【手続補正１】
【補正対象書類名】特許請求の範囲
【補正対象項目名】全文
【補正方法】変更
【補正の内容】
【特許請求の範囲】
【請求項１】
導体ポストに係合するように構成された端子リングアッセンブリであって、
第１の中央開口を有する略円形の第１本体と、各々が少なくとも１本のワイヤと係合できるように構成されたクリンプ可能バレルを有する少なくとも２つのグリップと、インターロック装置の第１部材とを有する第１リング要素と、
中央開口を有する略円形の第２本体と、少なくとも１本のワイヤと係合できるように構成されたクリンプ可能バレルを有する少なくとも１のグリップと、インターロック装置の第２部材とを有する第２リング要素と、を具えており、
インターロック装置の第１部材と第２部材は互いに係合するように構成され、第１リング要素と第２リング要素が共にロックされるようにしている端子リングアッセンブリ。
【請求項２】
第１リング要素は、第１グリップと第２グリップを含み、第１グリップ及び第２グリップの各々はクリンプ可能なバレルを有しており、
第２リング要素は、第３グリップと第４グリップを含み、第３グリップ及び第４グリップの各々はクリンプ可能なバレルを有している請求項１の端子リングアッセンブリ。
【請求項３】
第１リング要素は、第１グリップと第２グリップを含み、第１グリップ及び第２グリップの各々はクリンプ可能なバレルを有しており、
第２リング要素は、クリンプ可能なバレルを有する第３グリップを含んでいる請求項１の端子リングアッセンブリ。
【請求項４】
第１インターロック装置は、突起を有する少なくとも１つの可撓性弧状タブを含み、
第２インターロック装置は、開口を有する少なくとも１つの可撓性弧状タブを含み、
前記突起は、前記開口と係合するように構成されている請求項１の端子リングアッセンブリ。
【請求項５】
第１リング要素の本体は、中央開口の周囲にカラーを含み、該カラーは外径を有しており、
第２リング要素の中央開口の直径は、前記カラーの直径とほぼ同じであり、
第１要素と第２要素は、第２リング要素の本体が第１リング要素のカラーに当接した状態で、互いに係合するように構成されている請求項４の端子リングアッセンブリ。
【請求項６】
第１リング要素のインターロック装置は、開口を有する第１可撓性タブと、突起を有する第２可撓性タブとを含み、
第２リング要素は、突起を有する第３可撓性タブと、開口を有する第４可撓性タブとを含み、
第１可撓性タブの開口は、第３可撓性タブの突起と係合するように構成され、第４可撓性タブの開口は、第２可撓性タブの突起と係合するように構成されている請求項１の端子リングアッセンブリ。
【請求項７】
第１リング要素の本体は、中央開口の周囲にカラーを含み、該カラーは直径を有しており、
第２リング要素の中央開口の直径は、前記カラーの直径とほぼ同じであり、
第１要素と第２要素は、第２リング要素の本体が第１リング要素のカラーに当接した状態で、互いに係合するように構成されている請求項６の端子リングアッセンブリ。
【請求項８】
第１リング要素は、第１グリップと第２グリップを含み、第１グリップ及び第２グリップは各々がクリンプ可能なバレルを有しており、
第２リング要素は、第３グリップと第４グリップを含み、第３グリップ及び第４グリップは各々がクリンプ可能なバレルを有している請求項６の端子リングアッセンブリ。
【請求項９】
第１リング要素は、第１グリップと第２グリップを含み、第１グリップ及び第２グリップの各々はクリンプ可能なバレルを有しており、
第２リング要素は、クリンプ可能なバレルを有するグリップを含んでいる請求項６の端子リングアッセンブリ。
【請求項１０】
インターロック装置の第１部材は、円形の第１本体と略同じ中心を有する少なくとも１つの第１弧状タブを具え、前記少なくとも１つの第１弧状タブと第１の中央開口との間に第１スロットを有しており、
インターロック装置の第２部材は、円形の第２本体と略同じ中心を有する少なくとも１つの第２弧状タブを具え、前記少なくとも１つの第２弧状タブと第２の中央開口との間に第２スロットを有している請求項１の端子リングアッセンブリ。
【国際調査報告】
2008516394.tif 000017
2008516394.tif 000018